(57)【要約】【課題】画像形成の速度を高くすることができ、画像形成のスループットを向上させることができるようにする。【解決手段】像担持体上に顕像を形成するための複数の画像形成部Ｒ１〜Ｒ４と、各像担持体と対応させて配設され、顕像を記録媒体Ｓに転写する転写装置と、転写された顕像を記録媒体Ｓに定着させる定着装置と、各画像形成部がセットされているかどうかを判断し、判断結果に基づいて定着装置の設定温度を変更する温度制御処理手段とを有する。所定の画像形成部より定着装置に近い画像形成部がセットされていない場合に、定着装置の設定温度が高く設定されるので、待機状態において次の印刷要求がある場合に、ウォーミングアップ時間を短くすることができる。したがって、画像形成の速度を高くすることができ、画像形成のスループットを向上させることができる。【選択図】          図１
2004354933.tif 000002
【特許請求の範囲】
【請求項１】
（ａ）像担持体上に顕像を形成するための複数の画像形成部と、
（ｂ）前記各像担持体と対応させて配設され、顕像を記録媒体に転写する転写装置と、
（ｃ）転写された顕像を記録媒体に定着させる定着装置と、
（ｄ）前記各画像形成部がセットされているかどうかを判断し、判断結果に基づいて定着装置の設定温度を変更する温度制御処理手段とを有することを特徴とする画像形成装置。
【請求項２】
（ａ）像担持体上に顕像を形成するための複数の画像形成部と、
（ｂ）前記各像担持体と対応させて配設され、顕像を記録媒体に転写する転写装置と、
（ｃ）転写された顕像を記録媒体に定着させる定着装置と、
（ｄ）所定の画像形成部より定着装置に近い画像形成部がセットされていない場合に、定着装置の設定温度を高く設定する温度制御処理手段とを有することを特徴とする画像形成装置。
【請求項３】
（ａ）像担持体上に顕像を形成するための複数の画像形成部と、
（ｂ）前記各像担持体と対応させて配設され、顕像を記録媒体に転写する転写装置と、
（ｃ）転写された顕像を記録媒体に定着させる定着装置と、
（ｄ）使用される画像形成部の選択条件に基づいて、定着装置の設定温度を変更する温度制御処理手段とを有することを特徴とする画像形成装置。
【請求項４】
（ａ）前記画像形成部を選択する選択部を有するとともに、
（ｂ）前記温度制御処理手段は、前記選択部によって選択された画像形成部に従って定着装置の設定温度を変更する請求項３に記載の画像形成装置。
【請求項５】
前記設定温度は印刷が行われない待機状態における待機温度である請求項１〜３のいずれか１項に記載の画像形成装置。
【請求項６】
前記設定温度に対応させて記録媒体の搬送速度が設定される請求項１〜３のいずれか１項に記載の画像形成装置。
【請求項７】
前記各画像形成部がセットされている状態を監視する画像形成部状態監視処理手段を有する請求項１〜３のいずれか１項に記載の画像形成装置。
【発明の詳細な説明】
【０００１】
【発明の属する技術分野】
本発明は、画像形成装置に関するものである。
【０００２】
【従来の技術】
従来、電子写真式のプリンタ、複写機、ファクシミリ装置等の画像形成装置においては、画像形成部に感光体ドラムを備え、該感光体ドラムの表面が、帯電装置によって帯電させられ、露光装置によって露光され、画像信号に従って感光体ドラム上に静電潜像が形成されるようになっている。そして、現像装置によって前記静電潜像にトナーが付着させられ、静電潜像が顕像化されてトナー像が形成される。続いて、該トナー像は、転写装置によって記録媒体に転写され、定着装置によって記録媒体に定着させられる。なお、前記定着装置は、加熱用のヒータを内蔵したヒートローラ、及び記録媒体をヒートローラに押し付けるためのブレッシャローラを備える（例えば、特許文献１参照。）。
【０００３】
【特許文献１】
特開平１１−２３１５９８号公報
【０００４】
【発明が解決しようとする課題】
しかしながら、前記従来の画像形成装置においては、例えば、電子写真式のプリンタの場合、印刷時において、定着装置において前記ヒータによって発生させられた熱は、記録媒体、該記録媒体上のトナー等によって吸収されるので、前記画像形成部の温度を比較的低く維持することができるが、印刷がされない待機状態において、前記熱が記録媒体、トナー等によって吸収されないので、前記画像形成部の温度が高くなってしまう。したがって、画像形成部で保持された状態で、トナーが熱変形して溶けてしまうだけでなく、画像形成部に付着し、画像品位を低下させてしまう。
【０００５】
そこで、待機状態における定着装置の設定温度を低くして、画像形成部の温度が高くなるのを防止するようにしているが、次の印刷要求があったときに、定着装置が定着を行うのに必要な温度、すなわち、定着温度に到達するまでの時間、すなわち、ウォーミングアップ時間が長くなってしまう。その結果、画像形成の速度が低くなり、画像形成のスループットが低下してしまう。
【０００６】
本発明は、前記従来の画像形成装置の問題点を解決して、画像形成の速度を高くすることができ、画像形成のスループットを向上させることができる画像形成装置を提供することを目的とする。
【０００７】
【課題を解決するための手段】
そのために、本発明の画像形成装置においては、像担持体上に顕像を形成するための複数の画像形成部と、前記各像担持体と対応させて配設され、顕像を記録媒体に転写する転写装置と、転写された顕像を記録媒体に定着させる定着装置と、前記各画像形成部がセットされているかどうかを判断し、判断結果に基づいて定着装置の設定温度を変更する温度制御処理手段とを有する。
【０００８】
【発明の実施の形態】
以下、本発明の実施の形態について図面を参照しながら詳細に説明する。なお、この場合、画像形成装置として電子写真式のタンデム型のプリンタについて説明する。
【０００９】
図１は本発明の第１の実施の形態におけるプリンタの概念図である。
【００１０】
図において、１１はプリンタであり、該プリンタ１１においては、記録媒体Ｓの搬送路に沿って、挿入口側から排出口側（図において右側から左側）にかけて四つの画像形成部Ｒ１〜Ｒ４が順に配設され、該画像形成部Ｒ１はブラックの顕像としてのトナー像を記録媒体Ｓに転写するためのプリント機構から成り、画像形成部Ｒ２はイエローの顕像としてのトナー像を記録媒体Ｓに転写するためのプリント機構から成り、画像形成部Ｒ３はマゼンタの顕像としてのトナー像を記録媒体Ｓに転写するためのプリント機構から成り、画像形成部Ｒ４はシアンの顕像としてのトナー像を記録媒体Ｓに転写するためのプリント機構から成る。
【００１１】
前記各画像形成部Ｒ１〜Ｒ４は、それぞれ矢印ａ方向に回転自在に配設された像担持体としての感光体ドラム１６Ｂｋ、１６Ｙ、１６Ｍ、１６Ｃ、該各感光体ドラム１６Ｂｋ、１６Ｙ、１６Ｍ、１６Ｃの表面を一様に、かつ、均一に帯電させる帯電装置としての帯電ローラ（一次帯電用ローラ）１７Ｂｋ、１７Ｙ、１７Ｍ、１７Ｃ、前記各感光体ドラム１６Ｂｋ、１６Ｙ、１６Ｍ、１６Ｃの表面に形成された各静電潜像に、現像剤としての、ブラック、イエロー、マゼンタ及びシアンのトナーを付着させ、静電潜像を現像してトナー像を形成する現像装置としての現像ユニット１９Ｂｋ、１９Ｙ、１９Ｍ、１９Ｃ、及び転写後に、各感光体ドラム１６Ｂｋ、１６Ｙ、１６Ｍ、１６Ｃの表面に残留するトナーを削り落とすためのクリーニング装置としてのクリーニングユニット１５Ｂｋ、１５Ｙ、１５Ｍ、１５Ｃを備える。各クリーニングユニット１５Ｂｋ、１５Ｙ、１５Ｍ、１５Ｃは、削り落としたトナーを図示されないスクリューシャフトによって図示されない廃トナー容器に排出する。
【００１２】
そして、前記各画像形成部Ｒ１〜Ｒ４の上方には、前記各感光体ドラム１６Ｂｋ、１６Ｙ、１６Ｍ、１６Ｃと対向させて、露光装置としてのＬＥＤヘッド１３Ｂｋ、１３Ｙ、１３Ｍ、１３Ｃが配設され、各ＬＥＤヘッド１３Ｂｋ、１３Ｙ、１３Ｍ、１３Ｃは、各感光体ドラム１６Ｂｋ、１６Ｙ、１６Ｍ、１６Ｃの表面（感光体）をブラック画像信号、イエロー画像信号、マゼンタ画像信号及びシアン画像信号に従って露光し、静電潜像を形成する。また、前記各画像形成部Ｒ１〜Ｒ４の下方には、搬送ベルト２０を介して前記各感光体ドラム１６Ｂｋ、１６Ｙ、１６Ｍ、１６Ｃと対向させて、転写装置としての転写ローラ１４Ｂｋ、１４Ｙ、１４Ｍ、１４Ｃが配設され、各転写ローラ１４Ｂｋ、１４Ｙ、１４Ｍ、１４Ｃは前記トナー像を記録媒体Ｓに転写する。本実施の形態においては、露光装置としてＬＥＤヘッド１３Ｂｋ、１３Ｙ、１３Ｍ、１３Ｃを使用するようなっているが、該ＬＥＤヘッド１３Ｂｋ、１３Ｙ、１３Ｍ、１３Ｃに代えてレーザ装置、液晶シャッタ等を使用することもできる。
【００１３】
本実施の形態において、各画像形成部Ｒ１〜Ｒ４は、プリンタ１１の本体に対して着脱自在に配設され、各現像ユニット１９Ｂｋ、１９Ｙ、１９Ｍ、１９Ｃは、各画像形成部Ｒ１〜Ｒ４の本体に対して着脱自在に配設される。また、各画像形成部Ｒ１〜Ｒ４は後述される各モータを駆動することによって個々に作動させられる。
【００１４】
前記搬送ベルト２０は、高抵抗の半導電性プラスチックフィルムから成り、継目のないエンドレスベルトとして形成され、駆動ローラ３０と従動ローラ３１との間に張設される。前記搬送ベルト２０の抵抗値は、記録媒体Ｓが搬送ベルト２０に静電気によって吸着され、かつ、前記記録媒体Ｓが搬送ベルト２０から離れたときに搬送ベルト２０に残存する静電気が自然に除電されるような範囲に設定される。前記駆動ローラ３０は、搬送用の駆動部としての図示されない搬送モータに接続され、該搬送モータを駆動し、前記駆動ローラ３０を矢印ｃ方向に回転させると、搬送ベルト２０を走行させることができる。
【００１５】
前記搬送ベルト２０の上面部は、各画像形成部Ｐ１〜Ｐ４の各感光体ドラム１６Ｂｋ、１６Ｙ、１６Ｍ、１６Ｃと、対応する転写ローラ１４Ｂｋ、１４Ｙ、１４Ｍ、１４Ｃとの間を走行させられ、感光体ドラム１６Ｂｋ、１６Ｙ、１６Ｍ、１６Ｃ及び転写ローラ１４Ｂｋ、１４Ｙ、１４Ｍ、１４Ｃがいずれも搬送ベルト２０に接触させられる。
【００１６】
また、前記駆動ローラ３０には、搬送ベルト２０を介してクリーニングブレード３３が押し付けられる。該クリーニングブレード３３は、可撓性のゴム又はプラスチック材等によって構成され、搬送ベルト２０の走行に伴って、搬送ベルト２０の表面に残留しているトナーを廃トナータンク３４に削り落とす。
【００１７】
次に、前記プリンタ１１内の右下部分に配設された給紙機構１２について説明する。
【００１８】
該給紙機構１２は、記録媒体収容部としての用紙収容カセット４０、繰出機構としてのホッピング機構４７、搬送ローラ５０、及び第１、第２のレジストローラ５１、５２を備え、前記用紙収容カセット４０は、記録媒体収容箱４１、押上げ板４２及び押圧部材４３を備え、前記ホッピング機構４７は、記録媒体収容箱４１の媒体取出し口に配設され、弁別部材４４、付勢部材としてのばね４５及び給紙ローラ４６を備える。
【００１９】
前記ホッピング機構４７において、図示されない給紙用の駆動部としてのホッピングモータを駆動し、給紙ローラ４６を回転させると、記録媒体収容箱４１内の記録媒体Ｓは、繰り出され、ガイド４８、４９によって案内され、前記搬送ローラ５０に当接させて配設された第１、第２のレジストローラ５１、５２に到達する。
【００２０】
また、５３は媒体ガイド、５４は従動ローラ３１に圧接させて配設された吸着ローラであり、第１、第２のレジストローラ５１、５２から送られてきた記録媒体Ｓは、媒体ガイド５３によって案内され、吸着ローラ５４によって更に帯電させられ、搬送ベルト２０の上面に吸着させる。なお、吸着ローラ５４を使用しなくても記録媒体Ｓを搬送することができる。
【００２１】
前記吸着ローラ５４と最も上流側の画像形成部Ｒ１との間には、記録媒体Ｓの前端を検出する記録媒体検出部としてのフォトセンサ５５が配設される。また、５６は手差トレイであり、操作者が、記録媒体Ｓを前記手差トレイ５６とガイド５７との間に手差しで挿入することができるようになっている。５８は手差しで挿入された記録媒体Ｓを検出する記録媒体検出部としてのフォトセンサである。そして、手差しで挿入された記録媒体Ｓは、搬送ローラ５０及び第２のレジストローラ５２によって吸着ローラ５４と搬送ベルト２０との間に送られる。
【００２２】
次に、前記給紙機構１２による記録媒体Ｓの給紙動作について説明する。
【００２３】
まず、記録媒体収容箱４１に収納されている記録媒体Ｓは、押圧部材４３及び押上げ板４２によって押し上げられ、給紙ローラ４６に圧接させられ、そして、該給紙ローラ４６に対して弁別部材４４がばね４５による付勢力によって圧接させられる。
【００２４】
したがって、前記給紙ローラ４６が矢印ｆ方向に回転させられると、前記弁別部材４４によって、記録媒体Ｓは、記録媒体収容箱４１から１枚ずつ選択されて取り出され、繰り出され、ガイド４８、４９に案内されて搬送ローラ５０と第１のレジストローラ５１との間に到達する。
【００２５】
続いて、二次給紙用の駆動部としての図示されない二次給紙用モータを駆動して、前記搬送ローラ５０を矢印ｇ方向に回転させると、記録媒体Ｓは、第２のレジストローラ５２から媒体ガイド５３に送られ、該媒体ガイド５３によって案内され、吸着ローラ５４と搬送ベルト２０との間に到達する。
【００２６】
前記吸着ローラ５４が圧接させられた従動ローラ３１は接地されていて、吸着ローラ５４との従動ローラ３１との電位差によって、記録媒体Ｓは搬送ベルト２０に吸着される。続いて、記録媒体Ｓは駆動ローラ３０の回転速度に応じた搬送速度で搬送される。
【００２７】
前記搬送ベルト２０の駆動ローラ３０側の上面には、搬送ベルト２０との間に所定の距離を置いて除電器６０が配設される。該除電器６０は、搬送ベルト２０に吸着され、搬送されてきた記録媒体Ｓを除電し、吸着状態を解除し、搬送ベルト２０から分離しやすくする。なお、記録媒体Ｓの搬送方向における除電器６０より下流側には、記録媒体Ｓの後端を検出する記録媒体検出部としてのフォトセンサ６１が配設される。
【００２８】
さらに、記録媒体Ｓの搬送方向におけるフォトセンサ６１より下流側には、用紙ガイド６２及び定着装置としての定着器６３が配設される。該定着器６３は、搬送ベルト２０によって搬送された記録媒体Ｓ上のトナー像を記録媒体Ｓに定着させる。そのために、前記定着器６３は、トナーを加熱するための加熱部材としてのヒータが内蔵されたヒートローラ６４、及び該ヒートローラ６４と接触した状態で回転しながら記録媒体Ｓをヒートローラ６４に押し付けるプレッシャローラ６５を備える。
【００２９】
また、前記定着器６３の上方には、フェルトによって形成されたクリーニングパッド６６がヒートローラ６４に押し付けて配設され、ヒートローラ６４の表面に付着したトナーを除去する。記録媒体Ｓの搬送方向における定着器６３より下流側に排出口が形成され、該排出口の外側には排出スタッカ６７が配設され、該排出スタッカ６７には印刷済み記録媒体Ｓが排出される。
【００３０】
ところで、前記構成のプリンタ１１において、定着器６３は所定の設定温度に維持されるようになっているが、その間、定着器６３の熱は放射、伝導等によって空気中に放射される。そして、放射された熱は、プリンタ１１の筐（きょう）体等を介してプリンタ１１外に排出される。
【００３１】
また、プリンタ１１の筐体内は定着器６３の熱を受けるが、プリンタ１１外の空気によって筐体が冷却されるのに伴ってプリンタ１１内の空気が冷却されるので、プリンタ１１の筐体内の温度は一定以上に高くはならないようになっている。
【００３２】
そして、プリンタ１１において印刷が行われている間は、温度の低い記録媒体Ｓ、記録媒体Ｓ上のトナー２１等が温度の低い場所から定着器６３の周辺の温度が高い場所に移動する間に、筐体内の空気に触れて熱を吸収するので、印刷中における定着器６３の温度を印刷待機中における温度に比べて高くしても、筐体内の温度を一定に維持することができる。
【００３３】
また、発熱源となる定着器６３の周辺に比べて、定着器６３から離れるほど、定着器６３からの放射による熱の影響は少なくなり、しかも、筐体によって冷却される機会も多くなる。すなわち、筐体内の温度は定着器６３から離れるほど低くなる。
【００３４】
そして、各画像形成部Ｒ１〜Ｒ４には、所定の熱が伝わると溶融するトナー２１が配設されるので、筐体内の温度が高くなるのに伴って画像形成部Ｒ１〜Ｒ４の温度が高くならないように温度を制御する必要がある。したがって、搭載される画像形成部と定着器６３との間の距離に対応させて、定着器６３の待機温度を高くすることが可能になる。
【００３５】
次に、画像形成部Ｒ１〜Ｒ４における画像形成プロセスについて説明する。なお、この場合、各画像形成部Ｒ１〜Ｒ４の構造は同じであるので、画像形成部Ｒ１における画像形成プロセスについてだけ説明する。
【００３６】
図２は本発明の第１の実施の形態における画像形成プロセスの要部を示す図、図３は本発明の第１の実施の形態における感光体ドラムの表面電位の変化を示す図、図４は本発明の第１の実施の形態におけるトナーの電位を示す図である。なお、図３において、横軸に記録媒体Ｓ（図１）の印刷範囲を表す位置を、縦軸に感光体ドラム１６Ｂｋの表面電位を、図４において、横軸に記録媒体Ｓの印刷範囲を表す位置を、縦軸にトナーの電位を採ってある。
【００３７】
図２に示されるように、感光体ドラム１６Ｂｋと対向させて帯電ローラ１７Ｂｋ、ＬＥＤヘッド１３Ｂｋ、現像ユニット１９Ｂｋが配設され、現像ユニット１９Ｂｋ内には、トナー２１が充填（てん）されるとともに、現像剤担持体としての現像ローラ２２及び現像剤供給部材としてのトナー供給ローラ２３が配設される。
【００３８】
ここで、図示されない現像・転写プロセス用の駆動部としての現像・転写プロセス用モータを駆動し、感光体ドラム１６Ｂｋを回転させるとともに、帯電ローラ１７Ｂｋに図示されない高圧電源から負の極性の帯電電圧が印加されると、感光体ドラム１６Ｂｋの表面には一定の表面電位（約−７００〔Ｖ〕）に帯電させられた一次帯電部が形成される。そして、前記感光体ドラム１６Ｂｋの表面がＬＥＤヘッド１３Ｂｋの光によって照射され、印刷が行われる部分だけが露光されると、露光された部分、すなわち、露光部の表面電位が０〜−７０〔Ｖ〕になり、静電潜像が形成される。
【００３９】
ところで、前述されたように、感光体ドラム１６Ｂｋにおいては、一次帯電部の表面電位が約−７００〔Ｖ〕であり、露光部の表面電位が０〜−７０〔Ｖ〕になる。一方、現像ユニット１９Ｂｋにおいては、現像用の高圧電源２４に接続された現像ローラ２２に−３００〔Ｖ〕の電圧（現像バイアス）が、トナー供給用の高圧電源２５に接続されたトナー供給ローラ２３に−４５０〔Ｖ〕の電圧が印加される。なお、前記トナー供給ローラ２３としては、トナー２１を適正な量だけ図示されない現像ブレードに供給するためにスポンジローラが使用される。
【００４０】
そして、現像ローラ２２に−３００〔Ｖ〕の電圧が印加されることによって、トナー２１は、トナー供給ローラ２３から現像ローラ２２に供給され、現像ローラ２２の表面に付着して、感光体ドラム１６Ｂｋ上の静電潜像を現像するための現像用トナーになる。ここで、トナー２１の帯電による電位は約−５０〜−１００〔Ｖ〕であり、現像ローラ２２上のトナー２１の電位は−４００〜−３５０〔Ｖ〕になる。
【００４１】
ところで、前述されたように、露光部の表面電位は０〜−７０〔Ｖ〕であり、一次帯電部によって構成される非露光部の表面電位は−７００〔Ｖ〕のままである。したがって、露光部に、現像ローラ２２上のトナー２１が引き寄せられるように移動して付着し、トナー像が形成される。また、非露光部においては、表面電位が−７００〔Ｖ〕であり、トナー２１の電位が約−３５０〜−４００〔Ｖ〕との間に−２００〔Ｖ〕以上の電位差があるので、現像ローラ２２上のトナー２１は引き寄せられない。
【００４２】
次に、ＬＥＤヘッド１３Ｂｋの構成について説明する。
【００４３】
図５は本発明の第１の実施の形態におけるＬＥＤヘッドの駆動回路を示すブロック図である。
【００４４】
図に示されるように、実印刷データ信号ＤＡＴＡはクロック信号ＣＬＫと共にＬＥＤヘッド１３Ｂｋに入力される。例えば、３００〔ＤＰＩ〕の密度で配列されたＬＥＤヘッド１３Ｂｋを備えた画像形成装置においては、実印刷データ信号ＤＡＴＡは２５６０〔ドット〕分のビットデータとして、シフトレジスタＳＲ１、ＳＲ２、…、ＳＲ２５６０に順次シフトされて入力される。
【００４５】
次に、ラッチ信号ＬＯＡＤがＬＥＤヘッド１３Ｂｋに入力されると、ビットデータはシフトレジスタＳＲ１、ＳＲ２、…、ＳＲ２５６０から各ラッチＬＴ１、ＬＴ２、…、ＬＴ２５６０に出力され、ラッチされる。続いて、印刷駆動信号（ストローブ信号）ＳＴＢがＬＥＤヘッド１３Ｂｋに入力されるタイミングで、発光素子ＬＤ１、ＬＤ２、…、ＬＤ２５６０のうち実印刷データ信号ＤＡＴＡがハイレベルの値として供給されたビットデータに対応するものだけが点灯させられる。なお、Ｇ１、Ｇ２、…、Ｇ２５６０はゲート、Ｔｒ１、Ｔｒ２、…、Ｔｒ２５６０はスイッチング素子、ｒ１、ｒ２、…、ｒ２５６０は保護抵抗、ＶＤは電源である。
【００４６】
次に、前記ＬＥＤヘッド１３Ｂｋの露光機能について説明する。
【００４７】
前述されたＬＥＤヘッド１３Ｂｋは、発光素子ＬＤ１、ＬＤ２、…、ＬＤ２５６０から成るＬＥＤアレイ、該ＬＥＤアレイを駆動するための図示されないドライブＩＣを搭載した基板、及び各発光素子ＬＤ１、ＬＤ２、…、ＬＤ２５６０において発光された光を集光する集光装置としてのロッドレンズアレイ等を備え、後述されるインタフェース部を介して入力された画像情報を構成するカラー画像信号のうちブラック画像信号に対応してＬＥＤアレイを発光させ、感光体ドラム１６Ｂｋ（図１）の表面を露光し、静電潜像を形成する。そして、現像ユニット１９Ｂｋによって前記静電潜像にブラックのトナー２１（図２）が付着させられ、ブラックのトナー像が形成される。
【００４８】
同様に、ＬＥＤヘッド１３Ｙにはカラー画像信号のうちイエロー画像信号が入力され、ＬＥＤヘッド１３Ｍにはカラー画像信号のうちマゼンタ画像信号が入力され、ＬＥＤヘッド１３Ｃにはカラー画像信号のうちシアン画像信号が入力され、イエロー、マゼンタ及びシアンの各色のトナー像が形成される。
【００４９】
次に、プリンタ１１の制御装置について説明する。
【００５０】
図６は本発明の第１の実施の形態におけるプリンタの制御装置を示すブロック図である。
【００５１】
図に示されるように、プリンタ１１は、画像情報の制御を行うコントローラ部１０１、実際の印刷を行うエンジン部１０２を備える。また、前記プリンタ１１は、ワークステーション、パーソナルコンピュータ等の上位装置１００と接続され、該上位装置１００に、プリンタ１１に画像情報としての印刷データを送信するためのプリンタドライバ１０３がインストールされる。
【００５２】
前記コントローラ部１０１は、プリンタドライバ１０３から送信された印刷データを受信するインタフェース部１０４、該インタフェース部１０４が受信した印刷データを記録する受信バッファ１０５、該受信バッファ１０５に記録された印刷データを編集し、１ページの中間データであるページディスクリプタ、すなわち、ページデータに変換する編集部１０６、後述される展開部１０８の出力に従ってエンジン部１０２に制御信号を出力する印刷起動制御部１１０、前記編集部１０６によって変換されたページデータを記録するページバッファ１０７、該ページバッファ１０７に記録されたページデータの内容に従って、ページバッファ１０７からページデータを読み出して伸張し、画像データとして展開する展開部１０８、該展開部１０８によって展開された画像データをラスタデータとして記録するラスタバッファ１０９、該ラスタバッファ１０９に記録されたラスタデータを読み出し、印刷起動制御部１１０からの通知によってＬＥＤヘッド１３Ｂｋ、１３Ｙ、１３Ｍ、１３Ｃにブラック画像信号、イエロー画像信号、マゼンタ画像信号及びシアン画像信号から成る画像信号として転送するラスタデータ送出部１１１、操作者にプリンタ１１の状態を表示したり、操作者がプリンタ１１の設定を行ったりするためのオペレータパネル１１２、該オペレータパネル１１２を制御するパネル制御部１１３、前記プリンタ１１の状態を表すための文字列のデータベースとなる表示文字列記録部１１４、前記オペレータパネル１１２が操作され、プリンタ１１の設定が変更された場合に、変更された設定の内容を管理するためのパラメータ管理部１１５、及び変更された設定の内容を記録するための記録部としての不揮発性メモリ１１６を備える。
【００５３】
また、エンジン部１０２は、コントローラ部１０１とエンジン部１０２との間で通信を行うためのインタフェース部１１７、各種のモータ、センサ等の状態を監視する状態管理部１１８、該状態管理部１１８による起動に伴ってＬＥＤヘッド１３Ｂｋ、１３Ｙ、１３Ｍ、１３Ｃにクロックを送るクロック制御部１１９、ホッピングモータ１２５、搬送モータ１２６、及び画像形成部Ｒ１（図１）〜Ｒ４を上方の退避位置と下方の作動位置とに選択的に置く動作、すなわち、アップ・ダウンを制御するための昇降用の駆動部としてのアップダウンモータ１２７の制御を行うモータ制御部１２０、カラーの印刷を行うカラー印刷時、すなわち、カラーモードと、白黒の印刷を行うモノクロ印刷時、すなわち、モノクロモードとで異なる印刷温度情報を保持（記録）する印刷温度情報バッファ１２９、カラーモードとモノクロモードとで異なる待機温度情報を保持する待機温度情報バッファ１３０、前記印刷温度情報バッファ１２９に保持された印刷温度情報、及び待機温度情報バッファ１３０に保持された待機温度情報に基づいて、定着器６３に配設された温度検出部としての温度センサ１２８の状態を監視し、ヒートローラ６４内のヒータをオン・オフさせ、定着器６３のオン・オフ制御を行い、定着器６３の温度を制御する定着器制御部１２２、各色のトナー２１（図２）の残量を監視する現像剤検出部としてのトナーセンサ１３１Ｂｋ、１３１Ｙ、１３１Ｍ、１３１Ｃ、画像形成部Ｒ１〜Ｒ４の有無を検出する画像形成部検出部としての画像形成部有無センサ１３２Ｂｋ、１３２Ｙ、１３２Ｍ、１３２Ｃ、並びに前記トナーセンサ１３１Ｂｋ、１３１Ｙ、１３１Ｍ、１３１Ｃによる検出結果、及び画像形成部有無センサ１３２Ｂｋ、１３２Ｙ、１３２Ｍ、１３２Ｃによる検出結果に基づいて、画像形成部Ｒ１〜Ｒ４の状態を監視する画像形成部状態監視部１２３を備える。
【００５４】
前記印刷温度情報は、印刷時における定着器６３の設定温度を表す印刷温度であり、前記待機温度情報は、待機状態における定着器６３の設定温度を表す待機温度である。なお、印刷時において、定着器６３において前記ヒータによって発生させられた熱は、記録媒体Ｓ、トナー２１等によって吸収されるので、設定温度を定着を行うのに必要な定着温度と等しくしても、前記画像形成部Ｒ１〜Ｒ４の温度を比較的低く維持することができるが、印刷が行われない待機状態において、前記熱が記録媒体Ｓ、トナー２１等によって吸収されないので、設定温度を定着温度と等しく設定すると、前記画像形成部Ｒ１〜Ｒ４の温度が高くなってしまう。そこで、待機状態における設定温度は定着温度より低く設定される。すなわち、待機温度は印刷温度より低く設定される。
【００５５】
また、カラーモードにおいては、画像形成部Ｒ１〜Ｒ４のすべてがプリンタ１１にセットされ、定着器６３に近い画像形成部の温度が高くなりやすいのに対して、モノクロモードにおいては、画像形成部Ｒ２〜Ｒ４がプリンタ１１から取り外され、定着器６３から最も離れた位置に画像形成部Ｒ１がセットされるので、画像形成部Ｒ１の温度が高くなりにくい。そこで、モノクロモードの印刷温度及び待機温度は、カラーモードの印刷温度及び待機温度より高く設定される。
【００５６】
次に、前記構成のプリンタ１１の動作について説明する。
【００５７】
まず、コントローラ部１０１は、上位装置１００からインタフェース部１０４を介して印刷データを受信すると、該印刷データを受信バッファ１０５に記録する。そして、印刷データを受信したことを認識したインタフェース部１０４は、受信バッファ１０５に記録された印刷データを編集部１０６に送る。該編集部１０６は、印刷データを受けると、該印刷データを編集してページデータに変換しし、１ページ分のページデータをページバッファ１０７に記録した後、展開部１０８にページデータの展開要求を通知する。
【００５８】
次に、ページデータの展開要求が通知された展開部１０８は、ページバッファ１０７からページデータを読み出し、該ページデータを画像データとして展開し、ラスタバッファ１０９にラスタデータとして記録し、印刷起動制御部１１０に印刷要求を通知する。そして、印刷要求が通知された印刷起動制御部１１０は、エンジン部１０２に印刷準備要求及び記録媒体Ｓのフィード要求を通知し、エンジン部１０２の準備が整うのを待機する。
【００５９】
その後、エンジン部１０２の準備が整ったのを認識すると、印刷起動制御部１１０は、エンジン部１０２に印刷要求を通知し、ラスタデータ送出部１１１にデータ送信要求を通知する。
【００６０】
続いて、データ送信要求が通知されたラスタデータ送出部１１１は、ラスタバッファ１０９からラスタデータをライン単位で読み出し、エンジン部１０２のクロック制御部１１９から出力されるクロックに同期させて、ＬＥＤヘッド１３Ｂｋ、１３Ｙ、１３Ｍ、１３Ｃにブラック画像信号、イエロー画像信号、マゼンタ画像信号及びシアン画像信号から成る画像信号として転送する。
【００６１】
次に、エンジン部１０２における印刷動作について説明する。
【００６２】
まず、コントローラ部１０１から印刷準備要求が通知されると、エンジン部１０２は、定着器制御部１２２に指示を与え、定着器制御部１２２は、温度センサ１２８によって検出された温度、すなわち、検出温度に基づいて定着器６３が定着可能な温度、すなわち、定着温度になるように定着器６３のオン・オフ制御を行う。そして、定着器６３が定着可能な温度になると、コントローラ部１０１は印刷準備完了をコントローラ部１０１に通知する。また、用紙ホッピング要求がコントローラ部１０１から通知されると、状態管理部１１８は、モータ制御部１２０に指示を送り、モータ制御部１２０は、ホッピングモータ１２５を駆動し、記録媒体Ｓの給紙を行う。その後、図示されないホッピングセンサによって記録媒体Ｓの前端が検出されると、状態管理部１１８は、ホッピング準備完了をコントローラ部１０１に通知する。
【００６３】
続いて、状態管理部１１８は、コントローラ部１０１から印刷要求を受けると、搬送モータ１２６を駆動し、給紙が行われた記録媒体Ｓを第１、第２のレジストローラ５１、５２に送る。その後、状態監視部１１８は、ＬＥＤ照射タイミングになると、クロック制御部１１９にクロックの送信要求を通知する。
【００６４】
次に、モノクロモードで印刷を行う場合について説明する。
【００６５】
図７は本発明の第１の実施の形態におけるモノクロモードで印刷を行う場合のプリンタの概念図、図８は本発明の第１の実施の形態におけるオペレータパネルを表す図である。なお、図１のプリンタと同じ構造を有するものについては、同じ符号を付与することによってその説明を省略する。
【００６６】
この場合、プリンタ１１の初期状態において、図７に示されるように、画像形成部Ｒ２〜Ｒ４が取り外される。なお、コントローラ部１０１（図６）は、画像形成部Ｒ２〜Ｒ４が取り外されても、エラー処理を行わない。したがって、印刷を行うことができる。なお、プリンタ１１には、画像形成部Ｒ１〜Ｒ４等をプリンタ１１外に取り出したり、プリンタ１１にセットしたりするために、また、記録媒体Ｓの紙詰り（ジャム）を解除するために、開閉自在に配設されたカバーを備える。
【００６７】
そして、操作者は、オペレータパネル１１２を操作することによって、画像形成部Ｒ１〜Ｒ４のうちの使用する画像形成部を指定する。例えば、前記オペレータパネル１１２は、表示部９２及び操作部９３を備え、操作者が、操作部９３の設定キー９４を押下すると、カラーモード及びモノクロモードのうちの一方のモードが仮に選択され、表示部９２に、例えば、「モード設定／カラーモード」のような表示が行われる。操作者が、カラーモードを選択しようとする場合、指定キー９５を押下すると、表示部９２に表示されたカラーモードが設定される。操作者が、指定キー９５を押下せず、切替キー９６を押下すると、表示部９２に、「モード設定／モノクロモード」の表示が行われる。操作者が、モノクロモードを選択しようとする場合、指定キー９５を押下すると、表示部９２に表示されたモノクロモードが設定される。
【００６８】
なお、どの画像形成部Ｒ１〜Ｒ４が使用されるかの情報は、オペレータパネル１１２からパネル制御部１１３を介してパラメータ管理部１１５に送られる。そして、該パラメータ管理部１１５は、前記情報を不揮発性メモリ１１６に記録する。本実施の形態においては、操作者が、オペレータパネル１１２を操作して画像形成部Ｒ１〜Ｒ４のうちの使用する画像形成部を指定するようになっているが、上位装置１００の図示されない操作部を操作して画像形成部を指定することもできる。
【００６９】
次に、前記コントローラ部１０１の図示されない印刷モード設定処理手段による印刷モード設定処理の動作について説明する。
【００７０】
図９は本発明の第１の実施の形態における印刷モード設定処理の動作を示すフローチャートである。
【００７１】
まず、電源投入時に、印刷モード設定処理手段は、以前設定されていた印刷モード設定を不揮発性メモリ１１６（図６）から読み出し、前記印刷モード設定処理手段のパラメータ初期化処理手段は、パラメータ初期化処理を行う。続いて、前記印刷モード設定処理手段は、プリンタ１１（図１）の設定の変更が通知されるのを待機する。
【００７２】
そして、設定の変更が通知されると、前記印刷モード設定処理手段の印刷モード判定処理手段は、印刷モード判定処理を行い、印刷モードの変更であるかどうかを判断し、印刷モードの変更である場合、印刷モード判定処理手段は、モノクロモードへの変更であるかどうかを判断し、印刷モードの変更でない場合、前記印刷モード設定処理手段の他のイベント処理手段は、該当する他のイベント処理を行う。
【００７３】
また、モノクロモードへの変更である場合、前記印刷モード設定処理手段のモード設定処理手段は、モード設定処理を行い、モノクロモードを設定し、不揮発性メモリ１１６の印刷モード情報記録エリアに、モノクロモードが設定された旨の印刷モード情報を記録し、モノクロモードへの変更でない場合、前記モード設定処理手段は、カラーモードを設定し、前記印刷モード情報記録エリアにカラーモードが設定された旨の印刷モード情報を記録する。
【００７４】
次に、フローチャートについて説明する。
ステップＳ１  パラメータ初期化処理を行う。
ステップＳ２  変更が通知されるのを待機し、通知された場合はステップＳ３に進む。
ステップＳ３  印刷モードの変更であるかどうかを判断する。印刷モードの変更である場合はステップＳ５に、印刷モードの変更でない場合はステップＳ４に進む。
ステップＳ４  他のイベント処理を行い、処理を終了する。
ステップＳ５  モノクロモードへの変更であるかどうかを判断する。モノクロモードへの変更である場合はステップＳ６に、モノクロモードへの変更でない場合はステップＳ７に進む。
ステップＳ６  モノクロモードを設定し、処理を終了する。
ステップＳ７  カラーモードを設定し、処理を終了する。
【００７５】
次に、前記編集部１０６の図示されない編集処理手段による編集処理の動作について説明する。
【００７６】
図１０は本発明の第１の実施の形態における編集処理の動作を示すフローチャートである。
【００７７】
まず、編集処理手段は、受信バッファ１０５（図６）に問い合わせ、印刷データが受信されるのを待機する。印刷データが受信されると、編集処理手段は、前述された印刷モード情報を読み込み、モノクロモードが設定されているかどうかを判断する。
【００７８】
そして、モノクロモードが設定されている場合、前記編集処理手段は、イエロー、マゼンタ及びシアンの印刷データを、印刷を行おうとする色のデータを表す印刷色データ、本実施の形態においては、モノクロ用のページデータに変換し、該ページデータをページバッファ１０７に記録する。また、モノクロモードが設定されていない場合、すなわち、カラーモードが設定されている場合、前記編集処理手段は、ブラック、イエロー、マゼンタ及びシアンの印刷データをそのままページデータに変換し、該ページデータをページバッファ１０７に記録する。
【００７９】
続いて、前記編集処理手段は、１ページ分のページデータの準備ができたかどうかを判断し、１ページ分のページデータの準備ができた場合、展開部１０８に１ページ分のページデータの準備が終了したことを通知する。
【００８０】
次に、フローチャートについて説明する。
ステップＳ１１    印刷データが受信されるのを待機し、受信された場合はステップＳ１２に進む。
ステップＳ１２  モノクロモードが設定されているかどうかを判断する。モノクロモードが設定されている場合はステップＳ１３に、モノクロモードが設定されていない場合、すなわち、カラーモードが設定されている場合はステップＳ１４に進む。
ステップＳ１３  イエロー、マゼンタ及びシアンの印刷データをモノクロ用のページデータに変換し、ページバッファ１０７に記録する。
ステップＳ１４  ページバッファ１０７に記録する。
ステップＳ１５    １ページ分のページデータの準備ができたかどうかを判断する。１ページ分のページデータの準備ができた場合はステップＳ１６に進み、準備ができていない場合はステップＳ１１に戻る。
ステップＳ１６  ページデータの準備が終了したことを展開部１０８に通知し、処理を終了する。
【００８１】
次に、定着器制御部１２２の図示されない温度制御処理手段による温度制御処理の動作について説明する。
【００８２】
図１１は本発明の第１の実施の形態における温度制御処理の動作を示すフローチャートである。
【００８３】
まず、温度制御処理手段は、コントローラ部１０１（図６）から印刷要求があるかどうかを判断し、印刷要求がある場合は、カラーモードが設定されているかどうかを判断する。そして、カラーモードが設定されている場合、温度制御処理手段は、印刷温度情報バッファ１２９からカラーモード用の印刷温度情報を読み込み、印刷温度制御パラメータとしてセットし、カラーモードの印刷温度を設定温度として設定する。また、カラーモードが設定されていない場合、すなわち、モノクロモードが設定されている場合、温度制御処理手段は、印刷温度情報バッファ１２９からモノクロモード用の印刷温度情報を読み込み、印刷温度制御パラメータとしてセットし、モノクロモードの印刷温度を設定温度として設定する。
【００８４】
そして、温度制御処理手段は、印刷が終了したかどうかを判断し、印刷が終了するまで、定着器６３のオン・オフ制御を行う。すなわち、検出温度が設定温度より低い場合はヒータをオンにし、検出温度が設定温度以上である場合はヒータをオフにする。
【００８５】
一方、印刷要求がない場合、温度制御処理手段は、モノクロモードが設定されているかどうかを判断する。そして、モノクロモードが設定されている場合、温度制御処理手段は、待機温度情報バッファ１３０からモノクロモード用の待機温度情報を読み込み、待機温度制御パラメータとしてセットし、モノクロモードの待機温度を設定温度として設定する。また、モノクロモードが設定されていない場合、すなわち、カラーモードが設定されている場合、温度制御処理手段は、待機温度情報バッファ１３０からカラーモード用の待機温度情報を読み込み、待機温度制御パラメータとしてセットし、カラーモードの待機温度を設定温度として設定する。
【００８６】
続いて、次のページの印刷要求があるかどうかを判断し、次のページの印刷要求がない場合、温度制御処理手段は、待機温度保持時間を不揮発性メモリ１１６から読み取り、待機制御に入ってからの時間を監視することによって、待機温度保持時間が経過したかどうかを判断し、待機温度保持時間が経過した場合、定着器６３のオフ制御を行い、パワーセーブ状態に移行させ、処理を終了する。また、待機温度保持時間が経過していない場合、温度制御処理手段は定着器６３のオン・オフ制御を行う。
【００８７】
このように、本実施の形態においては、所定の画像形成部より定着器６３に近い画像形成部がセットされていない場合に、定着器６３の設定温度が高く設定され、例えば、モノクロモードが設定されているときに、待機温度が高く設定されるので、待機状態において次の印刷要求がある場合に、ウォーミングアップ時間を短くすることができる。したがって、画像形成の速度を高くすることができ、画像形成のスループットを向上させることができる。
【００８８】
次に、フローチャートについて説明する。
ステップＳ２１  印刷要求があるかどうかを判断する。印刷要求がある場合はステップＳ２２に、印刷要求がない場合はステップＳ２７に進む。
ステップＳ２２  カラーモードが設定されているかどうかを判断する。カラーモードが設定されている場合はステップＳ２３に、カラーモードが設定されていない場合、すなわち、モノクロモードが設定されている場合はステップＳ２４に進む。
ステップＳ２３  カラーモードの印刷温度を設定する。
ステップＳ２４  モノクロモードの印刷温度を設定する。
ステップＳ２５  印刷が終了したかどうかを判断する。印刷が終了した場合はステップＳ２１に戻り、終了していない場合はステップＳ２６に進む。
ステップＳ２６  定着器６３のオン・オフ制御を行い、ステップＳ２５に戻る。
ステップＳ２７  モノクロモードが設定されているかどうかを判断する。モノクロモードが設定されている場合はステップＳ２８に、モノクロモードが設定されていない場合、すなわち、カラーモードが設定されている場合はステップＳ２９に進む。
ステップＳ２８  モノクロモードの待機温度を設定する。
ステップＳ２９  カラーモードの待機温度を設定する。
ステップＳ３０  印刷要求があるかどうかを判断する。印刷要求がある場合はステップＳ２２に戻り、印刷要求がない場合はステップＳ３１に進む。
ステップＳ３１  待機温度保持時間が経過したかどうかを判断する。待機温度保持時間が経過した場合はステップＳ３３に、経過していない場合はステップＳ３２に進む。
ステップＳ３２    定着器６３のオン・オフ制御を行い、ステップＳ３０に戻る。
ステップＳ３３  定着器６３のオフ制御を行い、処理を終了する。
【００８９】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００９０】
本実施の形態においては、例えば、四つの画像形成部Ｒ１〜Ｒ４をセットすることができるプリンタにおいて、ブラック及びシアンの画像形成部Ｒ１、Ｒ４をセットして、印刷を行う限定印刷について説明する。
【００９１】
図１２は本発明の第２の実施の形態におけるプリンタの制御装置を示すブロック図である。
【００９２】
この場合、モータ制御部１２０は、カラーモードと、モノクロモードと、限定印刷時、すなわち、限定色モードとで異なる回転速度情報を保持するモータ速度情報バッファ１５１、及びカラーモードと、モノクロモードと、限定色モードとで異なる印刷温度情報を保持する印刷温度情報バッファ１２９を有する。なお、第１の実施の形態における待機温度情報バッファ１３０（図６）は配設されない。
【００９３】
前記印刷温度情報は、印刷時における定着装置としての定着器６３（図１）の設定温度を表す印刷温度であり、前記モータ速度情報は、印刷時におけるホッピングモータ１２５、搬送モータ１２６、アップダウンモータ１２７等の回転速度である。なお、カラーモードにおいては、画像形成部Ｒ１〜Ｒ４のすべてがプリンタ１１にセットされ、定着器６３に近い画像形成部Ｒ４の温度が高くなりやすいのに対して、モノクロモードにおいては、画像形成部Ｒ２〜Ｒ４がプリンタ１１から取り外され、定着器６３から最も離れた位置に画像形成部Ｒ１がセットされるので、画像形成部Ｒ１の温度が高くなりにくい。そこで、モノクロモードの印刷温度は、カラーモードの印刷温度及び待機温度より高く設定される。また、限定色モードにおいては、セットされた画像形成部によって温度が変化する。したがって、限定色モードの印刷温度は、選択された色に対応させて設定される。
【００９４】
また、モータ速度情報は、各モードにおける印刷温度に対応させて設定される。
【００９５】
次に、前記コントローラ部１０１の図示されない印刷モード設定処理手段による印刷モード設定処理の動作について説明する。
【００９６】
図１３は本発明の第２の実施の形態における印刷モード設定処理の動作を示すフローチャートである。
【００９７】
まず、電源投入時に、印刷モード設定処理手段は、以前設定されていた印刷モード設定を不揮発性メモリ１１６（図１２）から読み出し、前記印刷モード設定処理手段のパラメータ初期化処理手段は、パラメータ初期化処理を行う。続いて、前記印刷モード設定処理手段は、プリンタ１１（図１）の設定の変更が通知されるのを待機する。
【００９８】
そして、設定の変更が通知されると、前記印刷モード設定処理手段の印刷モード判定処理手段は、印刷モード判定処理を行い、印刷モードの変更であるかどうかを判断し、印刷モードの変更である場合、印刷モード判定処理手段は、限定色モードへの変更であるかどうかを判断し、印刷モードの変更でない場合、前記印刷モード設定処理手段の他のイベント処理手段は、該当する他のイベント処理を行う。
【００９９】
また、限定色モードへの変更である場合、前記印刷モード設定処理手段のモード設定処理手段は、モード設定処理を行い、限定色モードを設定し、不揮発性メモリ１１６の印刷モード情報記録エリアに、限定色モードが設定された旨の印刷モード情報、並びにブラック、イエロー、マゼンタ及びシアンのどの画像形成部が操作者によって有効にされたかを記録する。
【０１００】
そして、限定色モードへの変更でない場合、前記モード設定処理手段は、カラーモードを設定し、前記印刷モード情報記録エリアにカラーモードが設定された旨の印刷モード情報を記録する。
【０１０１】
次に、フローチャートについて説明する。
ステップＳ４１  パラメータ初期化処理を行う。
ステップＳ４２  変更が通知されるのを待機し、通知された場合はステップＳ４３に進む。
ステップＳ４３  印刷モードの変更であるかどうかを判断する。印刷モードの変更である場合はステップＳ４５に、印刷モードの変更でない場合はステップＳ４４に進む。
ステップＳ４４  他のイベント処理を行い、処理を終了する。
ステップＳ４５  限定色モードへの変更であるかどうかを判断する。限定色モードへの変更である場合はステップＳ４６に、限定色モードへの変更でない場合はステップＳ４８に進む。
ステップＳ４６  限定色モードを設定する。
ステップＳ４７  どの画像形成部が有効にされたかを記録し、処理を終了する。
ステップＳ４８  カラーモードを設定し、処理を終了する。
【０１０２】
次に、前記編集部１０６の図示されない編集処理手段による編集処理の動作について説明する。
【０１０３】
図１４は本発明の第２の実施の形態における編集処理の動作を示すフローチャートである。
【０１０４】
まず、編集処理手段は、受信バッファ１０５（図１２）に問い合わせ、印刷データが受信されるのを待機する。印刷データが受信されると、編集処理手段は、前述された印刷モード情報を読み込み、限定色モードが設定されているかどうかを判断する。
【０１０５】
そして、限定色モードが設定されている場合、前記編集処理手段は、印刷データを、通常のデータとして編集し、ぺージデータに変換し、ページバッファ１０７に記録する。
【０１０６】
また、限定色モードが設定されていない場合、前記編集処理手段は、有効にされた画像形成部についての有効画像形成部情報に基づいて、現在の印刷データが限定色として有効な色情報であるかを判断する。そして、印刷データが限定色として有効な色情報である場合は、印刷データを編集し、ぺージデータに変換し、ページバッファ１０７に記録する。また、印刷データが限定色として有効な色情報でない場合、すなわち、無効な色情報である場合は印刷データを受け捨てる。
【０１０７】
続いて、前記編集処理手段は、１ページ分のページデータの準備ができたかどうかを判断し、１ページ分のページデータの準備ができた場合、展開部１０８に１ページ分のページデータの準備が終了したことを通知する。
【０１０８】
次に、フローチャートについて説明する。
ステップＳ５１  印刷データが受信されるのを待機し、受信された場合はステップＳ５２に進む。
ステップＳ５２  限定色モードが設定されているかどうかを判断する。限定色モードが設定されている場合はステップＳ５３に、設定されていない場合はステップＳ５４に進む。
ステップＳ５３  ページバッファ１０７に記録する。
ステップＳ５４  限定色として有効な色情報であるかどうかを判断する。限定色として有効な色情報である場合はステップＳ５５に、限定色として有効な色情報でない場合、すなわち、無効な色情報である場合はステップＳ５６に進む。
ステップＳ５５  ページバッファ１０７に記録する。
ステップＳ５６  印刷データを受け捨てる。
ステップＳ５７  １ページ分のページデータの準備ができたかどうかを判断する。１ページ分のページデータの準備ができた場合はステップＳ５８に進み、準備ができていない場合はステップＳ５１に戻る。
ステップＳ５８  ページデータの準備が終了したことを展開部１０８に通知し、処理を終了する。
【０１０９】
次に、定着器制御部１２２の図示されない温度制御処理手段による温度制御処理の動作について説明する。
【０１１０】
図１５は本発明の第２の実施の形態における温度制御処理の動作を示すフローチャートである。
【０１１１】
まず、温度制御処理手段はコントローラ部１０１（図１２）から印刷要求があるかどうかを判断し、印刷要求がある場合は、モノクロモードが設定されているかどうかを判断する。そして、モノクロモードが設定されている場合、温度制御処理手段は、印刷温度情報バッファ１２９からモノクロモード用の印刷温度情報を読み込み、印刷温度制御パラメータとしてセットし、モノクロモードの印刷温度を設定温度として設定する。
【０１１２】
前記モノクロモードが設定されていない場合、温度制御処理手段は、限定色モードが設定されているかどうかを判断し、限定色モードが設定されている場合は、印刷温度情報バッファ１２９から限定色モード用の印刷温度情報を読み込み、印刷温度制御パラメータとしてセットし、限定色モードの印刷温度を設定温度として設定する。また、限定色モードが設定されていない場合、温度制御処理手段は、印刷温度情報バッファ１２９からカラーモード用の印刷温度情報を読み込み、印刷温度制御パラメータとしてセットし、カラーモードの印刷温度を設定温度として設定する。
【０１１３】
そして、温度制御処理手段は、印刷が終了したかどうかを判断し、印刷が終了するまで、定着器６３（図７）のオン・オフ制御を行う。
【０１１４】
一方、印刷要求がない場合、温度制御処理手段は、所定の待機温度を設定温度として設定し、次のページの印刷要求があるかどうかを判断し、次のページの印刷要求がない場合、温度制御処理手段は、待機温度保持時間を不揮発性メモリ１１６から読み取り、待機制御に入ってからの時間を監視することによって、待機温度保持時間が経過したかどうかを判断し、待機温度保持時間が経過した場合、定着器６３のオフ制御を行い、パワーセーブ状態に移行させ、処理を終了する。また、待機温度保持時間が経過していない場合、温度制御処理手段は定着器６３のオン・オフ制御を行う。
【０１１５】
次に、フローチャートについて説明する。
ステップＳ６１  印刷要求があるかどうかを判断する。印刷要求がある場合はステップＳ６２に、印刷要求がない場合はステップＳ６９に進む。
ステップＳ６２  モノクロモードが設定されているかどうかを判断する。モノクロモードが設定されている場合はステップＳ６３に、設定されていない場合はステップＳ６４に進む。
ステップＳ６３  モノクロモードの印刷温度を設定する。
ステップＳ６４  限定色モードが設定されているかどうかを判断する。限定色モードが設定されている場合はステップＳ６５に、設定されていない場合はステップＳ６６に進む。
ステップＳ６５  限定色モードの印刷温度を設定する。
ステップＳ６６  カラーモードの印刷温度を設定する。
ステップＳ６７    印刷が終了したかどうかを判断する。印刷が終了した場合はステップＳ６１に戻り、印刷が終了していない場合はステップＳ６８に進む。
ステップＳ６８    定着器６３のオン・オフ制御を行い、ステップＳ６７に戻る。
ステップＳ６９  待機温度を設定する。
ステップＳ７０  印刷要求があるかどうかを判断する。印刷要求がある場合はステップＳ６２に戻り、印刷要求がない場合はステップＳ７１に進む。
ステップＳ７１  待機温度保持時間が経過したかどうかを判断する。待機温度保持時間が経過した場合はステップＳ７３に、経過していない場合はステップＳ７２に進む。
ステップＳ７２  定着器６３のオン・オフ制御を行い、ステップＳ７０に戻る。
ステップＳ７３  定着器６３のオフ制御を行い、処理を終了する。
【０１１６】
次に、モータ制御部１２０の図示されないモータ制御処理手段によるモータ制御処理の動作について説明する。
【０１１７】
図１６は本発明の第２の実施の形態におけるモータ制御処理の動作を示すフローチャートである。
【０１１８】
まず、モータ制御処理手段は、状態管理部１１８（図１２）からモータ駆動要求が通知されるのを待機し、モータ駆動要求が通知されると、モータ駆動要求の種別（カラーモード、モノクロモード又は限定色モード）を判定し、前回のモータ駆動要求の種別と同じであるかどうかを判断する。そして、前回のモータ駆動要求の種別と異なる場合、モータ制御処理手段は、前の記録媒体Ｓ（図７）が排出されるのを待機する。また、前回のモータ駆動要求の種別と同じである場合には直ちに、前回のモータ駆動要求の種別と異なる場合には、前の記録媒体Ｓが排出されると、モータ制御処理手段は、モノクロモードが設定されているかどうかを判断する。そして、モノクロモードが設定されている場合、モータ制御処理手段は、モータ制御情報からモノクロモード用のモータ制御情報を取得してモータ制御用パラメータとしてセットし、モノクロモードの回転速度を設定する。
【０１１９】
また、モノクロモードが設定されていない場合、モータ制御処理手段は、限定色モードが設定されているかどうかを判断し、限定色モードが設定されている場合、モータ制御情報から限定色モード用のモータ制御情報を取得してモータ制御用パラメータとしてセットし、限定色モードの回転速度を設定する。さらに、限定色モードが設定されていない場合、モータ制御処理手段は、モータ制御情報からカラーモード用のモータ制御情報を取得してモータ制御用パラメータとしてセットし、カラーモードの回転速度を設定する。
【０１２０】
続いて、モータ制御処理手段は、前記回転速度に基づいて、ホッピングモータ１２５、搬送モータ１２６等のモータを駆動し、記録媒体Ｓの搬送速度を変更する。
【０１２１】
このように、本実施の形態においては、限定色モードが設定されているときに、限定色モードで選択されている色に対応させて印刷温度が設定温度として設定され、かつ、印刷温度に対応させて記録媒体Ｓの搬送速度が設定される。したがって、画像形成の速度を高くすることができ、画像形成のスループットを向上させることができる。
【０１２２】
次に、フローチャートについて説明する。
ステップＳ８１  モータ駆動要求が通知されるのを待機し、通知された場合はステップＳ８２に進む。
ステップＳ８２  前回のモータ駆動要求の種別と同じであるかどうかを判断する。前回のモータ駆動要求の種別と同じである場合はステップＳ８４に、前回のモータ駆動要求の種別と同じでない場合はステップＳ８３に進む。
ステップＳ８３  前の記録媒体Ｓが排出されるのを待機し、排出された場合はステップＳ８４に進む。
ステップＳ８４  モノクロモードが設定されているかどうかを判断する。モノクロモードが設定されている場合はステップＳ８５に、設定されていない場合は８６に進む。
ステップＳ８５  モノクロモードの回転速度を設定する。
ステップＳ８６  限定色モードが設定されているかどうかを判断する。限定色モードが設定されている場合はステップＳ８７に、設定されていない場合はステップＳ８８に進む。
ステップＳ８７  限定色モードの回転速度を設定する。
ステップＳ８８  カラーモードの回転速度を設定する。
ステップＳ８９  モータを駆動し、処理を終了する。
【０１２３】
次に、本発明の第３の実施の形態について説明する。なお、第１、第２の実施の形態と同じ構造を有するものについては、同じ符号を付与することによってその説明を省略し、同じ構造を有することによる発明の効果については同実施の形態の効果を援用する。
【０１２４】
本実施の形態においては、例えば、四つの画像形成部Ｒ１〜Ｒ４をセットすることができるプリンタにおいて、イエロー、マゼンタ及びシアンの画像形成部Ｒ２〜Ｒ４を使用して、カラーモードで印刷を行ったり、カスタムブラック印刷を行ったりする場合について説明する。
【０１２５】
図１７は本発明の第３の実施の形態におけるプリンタの制御装置を示すブロック図である。
【０１２６】
この場合、モータ制御部１２０は、カラーモードと、モノクロモードと、カスタムブラック印刷時、すなわち、カスタムブラックモードとで異なる回転速度情報を保持するモータ速度情報バッファ１５１、及びカラーモードと、モノクロモードと、カスタムブラックとで異なる印刷温度情報を保持する印刷温度情報バッファ１２９を有する。なお、第１の実施の形態における待機温度情報バッファ１３０（図６）は配設されない。
【０１２７】
前記印刷温度情報は、印刷時における定着装置としての定着器６３（図１）の設定温度を表す印刷温度であり、前記モータ速度情報は、印刷時におけるホッピングモータ１２５、搬送モータ１２６、アップダウンモータ１２７等の回転速度である。
【０１２８】
次に、前記コントローラ部１０１の図示されない印刷モード設定処理手段による印刷モード設定処理の動作について説明する。
【０１２９】
図１８は本発明の第３の実施の形態における印刷モード設定処理の動作を示すフローチャートである。
【０１３０】
まず、電源投入時に、印刷モード設定処理手段は、以前設定されていた印刷モード設定を不揮発性メモリ１１６（図１７）から読み出し、前記印刷モード設定処理手段のパラメータ初期化処理手段は、パラメータ初期化処理を行う。続いて、前記印刷モード設定処理手段は、プリンタ１１（図１）の設定の変更が通知されるのを待機する。
【０１３１】
そして、設定の変更が通知されると、前記印刷モード設定処理手段の印刷モード判定処理手段は、印刷モード判定処理を行い、印刷モードの変更であるかどうかを判断し、印刷モードの変更である場合、印刷モード判定処理手段は、カスタムブラックモードへの変更であるかどうかを判断し、印刷モードの変更でない場合、前記印刷モード設定処理手段の他のイベント処理手段は、該当する他のイベント処理を行う。
【０１３２】
また、カスタムブラックモードへの変更である場合、前記印刷モード設定処理手段のモード設定処理手段は、モード設定処理を行い、カスタムブラックモードを設定し、不揮発性メモリ１１６の印刷モード情報記録エリアに、カスタムブラックモードが設定された旨の印刷モード情報を記録する。
【０１３３】
そして、カスタムブラックモードへの変更でない場合、前記モード設定処理手段は、カラーモードを設定し、前記印刷モード情報記録エリアにカラーモードが設定された旨の印刷モード情報を記録する。
【０１３４】
次に、フローチャートについて説明する。
ステップＳ９１  パラメータ初期化処理を行う。
ステップＳ９２  変更が通知されるのを待機し、通知された場合はステップＳ９３に進む。
ステップＳ９３  印刷モードの変更であるかどうかを判断する。印刷モードの変更である場合はステップＳ９５に、印刷モードの変更でない場合はステップＳ９４に進む。
ステップＳ９４  他のイベント処理を行い、処理を終了する。
ステップＳ９５  カスタムブラックモードへの変更であるかどうかを判断する。
カスタムブラックモードへの変更である場合はステップＳ９６に、カスタムブラックモードへの変更でない場合はステップＳ９７に進む。
ステップＳ９６  カスタムブラックモードを設定し、処理を終了する。
ステップＳ９７  カラーモードを設定し、処理を終了する。
【０１３５】
次に、前記編集部１０６の図示されない編集処理手段による編集処理の動作について説明する。
【０１３６】
図１９は本発明の第３の実施の形態における編集処理の動作を示すフローチャートである。
【０１３７】
まず、編集処理手段は、受信バッファ１０５（図１７）に問い合わせ、印刷データが受信されるのを待機する。印刷データが受信されると、編集処理手段は、前述された印刷モード情報を読み込み、カスタムブラックモードが設定されているかどうかを判断する。
【０１３８】
そして、カスタムブラックモードが設定されている場合、前記編集処理手段は、印刷データを、通常のデータとして編集し、ぺージデータに変換し、ページバッファ１０７に記録する。
【０１３９】
また、カスタムブラックモードが設定されていない場合は、前記編集処理手段は、有効画像形成部情報に基づいて、現在の印刷データがブラックの印刷データであるかどうかを判断する。そして、印刷データがブラックの印刷データである場合、前記編集処理手段は、ブラックの印刷データを編集してイエロー、マゼンタ及びシアンのページデータに変換し、ページバッファ１０７に記録する。また、印刷データがブラックの印刷データでない場合、印刷データを編集し、そのままぺージデータに変換し、ページバッファ１０７に記録する。
【０１４０】
続いて、前記編集処理手段は、１ページ分のページデータの準備ができたかどうかを判断し、１ページ分のページデータの準備ができた場合、展開部１０８に１ページ分のページデータの準備が終了したことを通知する。
【０１４１】
次に、フローチャートについて説明する。
ステップＳ１０１  印刷データが受信されるのを待機し、受信された場合はステップＳ１０２に進む。
ステップＳ１０２  カスタムブラックモードが設定されているかどうかを判断する。カスタムブラックモードが設定されている場合はステップＳ１０３に、設定されていない場合はステップＳ１０４に進む。
ステップＳ１０３  ページバッファ１０７に記録する。
ステップＳ１０４  ブラックの印刷データであるかどうかを判断する。ブラックの印刷データである場合はステップＳ１０５に、印刷データでない場合はステップＳ１０６に進む。
ステップＳ１０５  イエロー、マゼンタ及びシアンのページデータに変換する。
ステップＳ１０６  ページバッファ１０７に記録する。
ステップＳ１０７  １ページ分のページデータの準備ができたかどうかを判断する。１ページ分のページデータの準備ができた場合はステップＳ１０８に進み、準備ができていない場合はステップＳ１０１に戻る。
ステップＳ１０８  ページデータの準備が終了したことを展開部１０８に通知し、処理を終了する。
【０１４２】
次に、定着器制御部１２２の図示されない温度制御処理手段による温度制御処理の動作について説明する。
【０１４３】
図２０は本発明の第３の実施の形態における温度制御処理の動作を示すフローチャートである。
【０１４４】
まず、温度制御処理手段はコントローラ部１０１（図１７）から印刷要求があるかどうかを判断し、印刷要求がある場合は、モノクロモードが設定されているかどうかを判断する。そして、モノクロモードが設定されている場合、温度制御処理手段は、印刷温度情報バッファ１２９からモノクロモード用の印刷温度情報を読み込み、印刷温度制御パラメータとしてセットし、モノクロモードの印刷温度を設定温度として設定する。
【０１４５】
前記モノクロモードが設定されていない場合、温度制御処理手段は、カスタムブラックモードが設定されているかどうかを判断し、カスタムブラックモードが設定されている場合は、印刷温度情報バッファ１２９からカスタムブラックモード用の印刷温度情報を読み込み、印刷温度制御パラメータとしてセットし、カスタムブラックモードの印刷温度を設定温度として設定する。また、カスタムブラックモードが設定されていない場合、温度制御処理手段は、印刷温度情報バッファ１２９からカラーモード用の印刷温度情報を読み込み、印刷温度制御パラメータとしてセットし、カラーモードの印刷温度を設定温度として設定する。
【０１４６】
そして、温度制御処理手段は、印刷が終了したかどうかを判断し、印刷が終了するまで、定着器６３（図１）のオン・オフ制御を行う。
【０１４７】
一方、印刷要求がない場合、温度制御処理手段は、所定の待機温度を設定温度として設定し、次のページの印刷要求があるかどうかを判断し、次のページの印刷要求がない場合、温度制御処理手段は、待機温度保持時間を不揮発性メモリ１１６から読み取り、待機制御に入ってからの時間を監視することによって、待機温度保持時間が経過したかどうかを判断し、待機温度保持時間が経過した場合、定着器６３のオフ制御を行い、パワーセーブ状態に移行させ、処理を終了する。また、待機温度保持時間が経過していない場合、温度制御処理手段は定着器６３のオン・オフ制御を行う。
【０１４８】
次に、フローチャートについて説明する。
ステップＳ１１１  印刷要求があるかどうかを判断する。印刷要求がある場合はステップＳ１１２に、印刷要求がない場合はステップＳ１１９に進む。
ステップＳ１１２  モノクロモードが設定されているかどうかを判断する。モノクロモードが設定されている場合はステップＳ１１３に、設定されていない場合はステップＳ１１４に進む。
ステップＳ１１３  モノクロモードの印刷温度を設定する。
ステップＳ１１４  カスタムブラックモードが設定されているかどうかを判断する。カスタムブラックモードが設定されている場合はステップＳ１１５に、設定されていない場合はステップＳ１１６に進む。
ステップＳ１１５  カスタムブラックモードの印刷温度を設定する。
ステップＳ１１６  カラーモードの印刷温度を設定する。
ステップＳ１１７  印刷が終了したかどうかを判断する。印刷が終了した場合はステップＳ１１１に戻り、印刷が終了していない場合はステップＳ１１８に進む。
ステップＳ１１８  定着器６３のオン・オフ制御を行い、ステップＳ１１７に戻る。
ステップＳ１１９  待機温度を設定する。
ステップＳ１２０  印刷要求があるかどうかを判断する。印刷要求がある場合はステップＳ１１２に戻り、印刷要求がない場合はステップＳ１２１に進む。
ステップＳ１２１  待機温度保持時間が経過したかどうかを判断する。待機温度保持時間が経過した場合はステップＳ１２３に、経過していない場合はステップＳ１２２に進む。
ステップＳ１２２  定着器６３のオン・オフ制御を行い、ステップＳ１２０に戻る。
ステップＳ１２３  定着器６３のオフ制御を行い、処理を終了する。
【０１４９】
次に、モータ制御部１２０の図示されないモータ制御処理手段によるモータ制御処理の動作について説明する。
【０１５０】
図２１は本発明の第３の実施の形態におけるモータ制御処理の動作を示すフローチャートである。
【０１５１】
まず、モータ制御処理手段は、状態管理部１１８（図１７）からモータ駆動要求が通知されるのを待機し、モータ駆動要求が通知されると、モータ駆動要求の種別（カラーモード、モノクロモード又はカスタムブラックモード）を判定し、前回のモータ駆動要求の種別と同じであるかどうかを判断する。そして、前回のモータ駆動要求の種別と異なる場合、モータ制御処理手段は、前の記録媒体Ｓ（図１）が排出されるのを待機する。また、前回のモータ駆動要求の種別と同じである場合には直ちに、前回のモータ駆動要求の種別と異なる場合には、前の記録媒体Ｓが排出されると、モータ制御処理手段は、モノクロモードが設定されているかどうかを判断する。そして、モノクロモードが設定されている場合、モータ制御処理手段は、モータ制御情報からモノクロモード用のモータ制御情報を取得してモータ制御用パラメータとしてセットし、モノクロモードの回転速度を設定する。
【０１５２】
また、モノクロモードが設定されていない場合、モータ制御処理手段は、カスタムブラックモードが設定されているかどうかを判断し、カスタムブラックモードが設定されている場合、モータ制御情報からカスタムブラックモード用のモータ制御情報を取得してモータ制御用パラメータとしてセットし、カスタムブラックモードの回転速度を設定する。さらに、カスタムブラックモードが設定されていない場合、モータ制御処理手段は、モータ制御情報からカラーモード用のモータ制御情報を取得してモータ制御用パラメータとしてセットし、カラーモードの回転速度を設定する。
【０１５３】
続いて、モータ制御処理手段は、前記回転速度に基づいて、ホッピングモータ１２５、搬送モータ１２６等のモータを駆動し、記録媒体Ｓの搬送速度を変更する。
【０１５４】
このように、本実施の形態においては、カスタムブラックモードが設定されているときに、カスタムブラックモードで選択されている色に対応させて印刷温度が設定温度として設定され、かつ、印刷温度に対応させて記録媒体Ｓの搬送速度が設定される。したがって、画像形成の速度を高くすることができ、画像形成のスループットを向上させることができる
次に、フローチャートについて説明する。
ステップＳ１３１  モータ駆動要求が通知されるのを待機し、通知された場合はステップＳ１３２に進む。
ステップＳ１３２  前回のモータ駆動要求の種別と同じであるかどうかを判断する。前回のモータ駆動要求の種別と同じである場合はステップＳ１３４に、前回のモータ駆動要求の種別と同じでない場合はステップＳ１３３に進む。
ステップＳ１３３  前の記録媒体Ｓが排出されるのを待機し、排出された場合はステップＳ１３４に進む。
ステップＳ１３４  モノクロモードが設定されているかどうかを判断する。モノクロモードが設定されている場合はステップＳ１３５に、設定されていない場合は１３６に進む。
ステップＳ１３５  モノクロモードの回転速度を設定する。
ステップＳ１３６  カスタムブラックモードが設定されているかどうかを判断する。カスタムブラックモードが設定されている場合はステップＳ１３７に、設定されていない場合はステップＳ１３８に進む。
ステップＳ１３７  カスタムブラックモードの回転速度を設定する。
ステップＳ１３８  カラーモードの回転速度を設定する。
ステップＳ１３９  モータを駆動し、処理を終了する。
【０１５５】
次に、ラスタデータ送出部１１１の図示されないラスタデータ送出処理手段によるラスタデータ送出処理の動作について説明する。
【０１５６】
図２２は本発明の第３の実施の形態におけるラスタデータ送出処理の動作を示すフローチャートである。
【０１５７】
まず、ラスタデータ送出処理手段は、印刷制御起動部１１０（図１７）からＬＥＤ送信要求が通知されるのを待機し、ＬＥＤ送信要求が通知されると、カスタムブラックモードが設定されているかどうかを判断し、カスタムブラックモードが設定されている場合、ラスタバッファ１０９に記録されているイエロー及びマゼンタのラスタデータをそれぞれＬＥＤヘッド１３Ｙ（図１）、１３Ｍに送信し、シアンのラスタデータをブラックのＬＥＤヘッド１３Ｂｋに送信する。そして、カスタムブラックモードが設定されていない場合、ラスタデータ送出処理手段は、ラスタバッファ１０９に記録されているブラック、イエロー、マゼンタ及びシアンのラスタデータをそれぞれＬＥＤヘッド１３Ｙ、１３Ｍ、１３Ｃに送信する。
【０１５８】
次に、フローチャートについて説明する。
ステップＳ１４１  ＬＥＤ送信要求が通知されるのを待機し、通知された場合はステップＳ１４２に進む。
ステップＳ１４２  カスタムブラックモードが設定されているかどうかを判断する。カスタムブラックモードが設定されている場合はステップＳ１４３に、設定されていない場合はステップＳ１４４に進む。
ステップＳ１４３  イエロー及びマゼンタのラスタデータをＬＥＤヘッド１３Ｙ、１３Ｍに送信し、シアンのラスタデータをブラックのＬＥＤヘッド１３Ｂｋに送信し、処理を終了する。
ステップＳ１４４  ブラック、イエロー、マゼンタ及びシアンのラスタデータをＬＥＤヘッド１３Ｙ、１３Ｍ、１３Ｃに送信し、処理を終了する。
【０１５９】
次に、画像形成部状態監視部１２３の図示されない画像形成部状態監視処理手段による画像形成部状態監視処理の動作について説明する。
【０１６０】
図２３は本発明の第３の実施の形態における画像形成部状態監視処理の動作を示すフローチャートである。
【０１６１】
まず、画像形成部状態監視処理手段は、画像形成部チェック要求が通知されたかどうかを判断し、画像形成部チェック要求が通知された場合、カスタムブラックモードが設定されているかどうかを判断する。そして、カスタムブラックモードが設定されている場合、画像形成部状態監視処理手段は、イエロー、マゼンタ及びシアンの画像形成部Ｒ２（図１）〜Ｒ４が所定の位置にセットされているかどうかを判断し、イエロー、マゼンタ及びシアンの画像形成部Ｒ２〜Ｒ４が所定の位置にセットされている場合、シアンの画像形成部Ｒ４をブラックの位置に移動するように操作者に通知する。
【０１６２】
また、イエロー、マゼンタ及びシアンの画像形成部Ｒ２〜Ｒ４が所定の位置にセットされていない場合、画像形成部状態監視処理手段は、すべての画像形成部Ｒ１〜Ｒ４が所定の位置にセットされているかどうかを判断し、すべての画像形成部Ｒ１〜Ｒ４が所定の位置にセットされている場合、すべての画像形成部Ｒ１〜Ｒ４が正常にセットされていることを状態管理部１１８に通知する。
【０１６３】
そして、カスタムブラックモードが設定されていない場合、画像形成部状態監視処理手段は、すべての画像形成部Ｒ１〜Ｒ４がセットされているかどうかを判断し、すべての画像形成部Ｒ１〜Ｒ４がセットされている場合、すべての画像形成部Ｒ１〜Ｒ４が正常にセットされていることを状態管理部１１８に通知し、いずれかの画像形成部がセットされていない場合、画像形成部を正常にセットされているかを確認するように操作者に通知する。
【０１６４】
このように、本実施の形態においては、画像形成部がセットされている状態が監視され、カスタムブラックモードが設定されている場合、定着器６３に一番近い画像形成部Ｒ４を、定着器６３から最も離れたブラックの位置に移動させることによって、定着器６３の熱の影響が画像形成部Ｒ４に加わるのを防止することができる。したがって、カスタムブラックモードの設定温度を高くし、モータの回転速度を高くすることができるので、画像形成の速度を高くすることができ、画像形成のスループットを向上させることができる。
【０１６５】
次に、フローチャートについて説明する。
ステップＳ１５１  画像形成部チェック要求が通知されたかどうかを判断する。画像形成部チェック要求が通知された場合はステップＳ１５２に進み、通知されていない場合は処理を終了する。
ステップＳ１５２  カスタムブラックモードが設定されているかどうかを判断する。カスタムブラックモードが設定されている場合ステップＳ１５３に、設定されていない場合はステップＳ１５７に進む。
ステップＳ１５３  イエロー、マゼンタ及びシアンの画像形成部Ｒ２〜Ｒ４が所定の位置にセットされているかどうかを判断する。イエロー、マゼンタ及びシアンの画像形成部Ｒ２〜Ｒ４が所定の位置にセットされている場合はステップＳ１５４に、セットされていない場合はステップＳ１５５に進む。
ステップＳ１５４  シアンの画像形成部Ｒ４をブラックの位置に移動するように通知し、処理を終了する。
ステップＳ１５５  すべての画像形成部Ｒ１〜Ｒ４が所定の位置にセットされているかどうかを判断する。すべての画像形成部Ｒ１〜Ｒ４が所定の位置にセットされている場合はステップＳ１５８に、セットされていない場合はステップＳ１５６に進む。
ステップＳ１５６  正常にセットされていることを通知し、処理を終了する。
ステップＳ１５７  すべての画像形成部Ｒ１〜Ｒ４がセットされているかどうかを判断する。すべての画像形成部Ｒ１〜Ｒ４がセットされている場合はステップＳ１５９に、セットされていない場合はステップＳ１５８に進む。
ステップＳ１５８  正常にセットされているかを確認するように通知し、処理を終了する。
ステップＳ１５９  正常にセットされていることを通知し、処理を終了する。
【０１６６】
本実施の形態においては、各画像形成部Ｒ１〜Ｒ４がセットされているかどうかを判断するようになっているが、画像形成部を選択してセットすることができる。その場合、画像形成部を選択するために選択部が配設され、操作者が選択部を操作することによって画像形成部が選択されると、定着器６３の設定温度が変更される。
【０１６７】
次に、本発明の第４の実施の形態について説明する。なお、第１〜第３の実施の形態と同じ構造を有するものについては、同じ符号を付与することによってその説明を省略し、同じ構造を有することによる発明の効果については同実施の形態の効果を援用する。
【０１６８】
本実施の形態においては、例えば、四つの画像形成部Ｒ１〜Ｒ４をセットすることができるプリンタにおいて、同じ色の画像形成部を各位置にセットして単色で印刷、すなわち、単色印刷を行うことができるようになっている。
【０１６９】
図２４は本発明の第４の実施の形態におけるプリンタの制御装置を示すブロック図である。
【０１７０】
この場合、モータ制御部１２０に、カラーモードと、単色印刷時、すなわち、単色モードとで異なる回転速度情報を保持するモータ速度情報バッファ１５１、及びカラーモードと単色モードとで異なる印刷温度情報を保持する印刷温度情報バッファ１２９を有する。また、単色モードにおいて、前記モータ速度情報バッファ１５１は、有効となった画像形成部の位置情報、すなわち、画像形成部位置１〜３ごとのモータ速度情報を、印刷温度情報バッファ１２９は、有効となった画像形成部の画像形成部位置１〜３ごとの印字温度情報を保持する。なお、第１の実施の形態における待機温度情報バッファ１３０（図６）は配設されない。
【０１７１】
次に、前記コントローラ部１０１の図示されない印刷モード設定処理手段による印刷モード設定処理の動作について説明する。
【０１７２】
図２５は本発明の第４の実施の形態における印刷モード設定処理の動作を示すフローチャートである。
【０１７３】
まず、電源投入時に、印刷モード設定処理手段は、以前設定されていた印刷モード設定を不揮発性メモリ１１６（図２４）から読み出し、前記印刷モード設定処理手段のパラメータ初期化処理手段は、パラメータ初期化処理を行う。続いて、前記印刷モード設定処理手段は、プリンタ１１（図１）の設定の変更が通知されるのを待機する。
【０１７４】
そして、設定の変更が通知されると、前記印刷モード設定処理手段の印刷モード判定処理手段は、印刷モード判定処理を行い、印刷モードの変更であるかどうかを判断し、印刷モードの変更である場合、印刷モード判定処理手段は、単色モードへの変更であるかどうかを判断し、印刷モードの変更でない場合、前記印刷モード設定処理手段の他のイベント処理手段は、該当する他のイベント処理を行う。
【０１７５】
また、単色モードへの変更である場合、前記印刷モード設定処理手段のモード設定処理手段は、モード設定処理を行い、単色モードを設定し、不揮発性メモリ１１６の印刷モード情報記録エリアに、単色モードが設定された旨の印刷モード情報を記録する。
【０１７６】
そして、単色モードへの変更でない場合、前記モード設定処理手段は、カラーモードを設定し、前記印刷モード情報記録エリアにカラーモードが設定された旨の印刷モード情報を記録する。
【０１７７】
次に、フローチャートについて説明する。
ステップＳ１６１  パラメータ初期化処理を行う。
ステップＳ１６２  変更が通知されるのを待機し、通知された場合はステップＳ１６３に進む。
ステップＳ１６３  印刷モードの変更であるかどうかを判断する。印刷モードの変更である場合はステップＳ１６５に、印刷モードの変更でない場合はステップＳ１６４に進む。
ステップＳ１６４  他のイベント処理を行い、処理を終了する。
ステップＳ１６５  単色モードへの変更であるかどうかを判断する。単色モードへの変更である場合はステップＳ１６６に、単色モードへの変更でない場合はステップＳ１６７に進む。
ステップＳ１６６  単色モードを設定し、処理を終了する。
ステップＳ１６７  カラーモードを設定し、処理を終了する。
【０１７８】
次に、定着器制御部１２２の図示されない温度制御処理手段による温度制御処理の動作について説明する。
【０１７９】
図２６は本発明の第４の実施の形態における温度制御処理の動作を示すフローチャートである。
【０１８０】
まず、温度制御処理手段はコントローラ部１０１（図２４）から印刷要求があるかどうかを判断し、印刷要求がある場合は、モノクロモードが設定されているかどうかを判断する。そして、モノクロモードが設定されている場合、温度制御処理手段は、印刷温度情報バッファ１２９からモノクロモード用の印刷温度情報を読み込み、印刷温度制御パラメータとしてセットし、モノクロモードの印刷温度を設定温度として設定する。
【０１８１】
また、モノクロモードが設定されていない場合、温度制御処理手段は、単色モードが設定されているかどうかを判断し、単色モードが設定されている場合は、どの位置の画像形成部が有効になっているかを読み込むとともに、印刷温度情報バッファ１２９から該当する単色モード用の印刷温度情報（有効になっている画像形成部に対応する前記画像形成部位置１〜３のうちの所定の画像形成部位置の印刷温度情報）を読み込み、印刷温度制御パラメータとしてセットし、単色モードの印刷温度を設定温度として設定する。また、単色モードが設定されていない場合、温度制御処理手段は、印刷温度情報バッファ１２９からカラーモード用の温度情報を読み込み、印刷温度制御パラメータとしてセットし、カラーモードの印刷温度を設定温度として設定する。
【０１８２】
そして、温度制御処理手段は、印刷が終了したかどうかを判断し、印刷が終了するまで、定着器６３（図１）のオン・オフ制御を行う。
【０１８３】
一方、印刷要求がない場合、温度制御処理手段は、所定の待機温度を設定温度として設定し、次のページの印刷要求があるかどうかを判断し、次のページの印刷要求がない場合、温度制御処理手段は、待機温度保持時間を不揮発性メモリ１１６から読み取り、待機制御に入ってからの時間を監視することによって、待機温度保持時間が経過したかどうかを判断し、待機温度保持時間が経過した場合、定着器６３のオフ制御を行い、パワーセーブ状態に移行させ、処理を終了する。また、待機温度保持時間が経過していない場合、温度制御処理手段は定着器６３のオン・オフ制御を行う。
【０１８４】
次に、フローチャートについて説明する。
ステップＳ１７１  印刷要求があるかどうかを判断する。印刷要求がある場合はステップＳ１７２に、印刷要求がない場合はステップＳ１８０に進む。
ステップＳ１７２  モノクロモードが設定されているかどうかを判断する。モノクロモードが設定されている場合はステップＳ１７３に、設定されていない場合はステップＳ１７４に進む。
ステップＳ１７３  モノクロモードの印刷温度を設定する。
ステップＳ１７４  単色モードが設定されているかどうかを判断する。単色モードが設定されている場合はステップＳ１７６に、設定されていない場合はステップＳ１７５に進む。
ステップＳ１７５  カラーモードの印刷温度を設定する。
ステップＳ１７６  どの位置の画像形成部が有効になっているかを読み込む。
ステップＳ１７７  単色モードの印刷温度を設定する。
ステップＳ１７８  印刷が終了したかどうかを判断する。印刷が終了した場合はステップＳ１７１に戻り、印刷が終了していない場合はステップＳ１７９に進む。
ステップＳ１７９  定着器６３のオン・オフ制御を行い、ステップＳ１７８に戻る。
ステップＳ１８０  待機温度を設定する。
ステップＳ１８１  印刷要求があるかどうかを判断する。印刷要求がある場合はステップＳ１７２に戻り、印刷要求がない場合はステップＳ１８２に進む。
ステップＳ１８２  待機温度保持時間が経過したかどうかを判断する。待機温度保持時間が経過した場合はステップＳ１８４に、経過していない場合はステップＳ１８３に進む。
ステップＳ１８３  定着器６３のオン・オフ制御を行い、ステップＳ１８１に戻る。
ステップＳ１８４  定着器６３のオフ制御を行い、処理を終了する。
【０１８５】
次に、モータ制御部１２０の図示されないモータ制御処理手段によるモータ制御処理の動作について説明する。
【０１８６】
図２７は本発明の第４の実施の形態におけるモータ制御処理の動作を示すフローチャートである。
【０１８７】
まず、モータ制御処理手段は、状態管理部１１８（図２４）からモータ駆動要求が通知されるのを待機し、モータ駆動要求が通知されると、モータ駆動要求の種別（カラーモード、モノクロモード又は単色モード）を判定し、前回のモータ駆動要求の種別と同じであるかどうかを判断する。そして、前回のモータ駆動要求の種別と異なる場合、モータ制御処理手段は、前の記録媒体Ｓ（図１）が排出されるのを待機する。また、前回のモータ駆動要求の種別と同じである場合には直ちに、前回のモータ駆動要求の種別と異なる場合には、前の記録媒体Ｓが排出されると、モータ制御処理手段は、単色モードが設定されているかどうかを判断する。そして、単色モードが設定されている場合、モータ制御処理手段は、どの位置の画像形成部が有効になっているかを読み込むとともに、モータ速度情報バッファ１５１から該当する単色モード用のモータ制御情報（有効になっている画像形成部に対応する前記画像形成部位置１〜３のうちの所定の画像形成部位置のモータ制御情報）を読み込み、モータ制御用パラメータとしてセットし、単色モードの回転速度を設定する。
【０１８８】
また、単色モードが設定されていない場合、モータ制御処理手段は、モノクロモードが設定されているかどうかを判断し、モノクロモードが設定されている場合、モータ制御情報からモノクロモード用のモータ制御情報を取得してモータ制御用パラメータとしてセットし、モノクロモードの回転速度を設定する。さらに、モノクロモードが設定されていない場合、モータ制御処理手段は、モータ制御情報からカラーモード用のモータ制御情報を取得してモータ制御用パラメータとしてセットし、カラーモードの回転速度を設定する。
【０１８９】
続いて、モータ制御処理手段は、前記回転速度に基づいて、ホッピングモータ１２５、搬送モータ１２６等のモータを駆動し、記録媒体Ｓの搬送速度を変更する。
【０１９０】
このように、本実施の形態においては、単色モードが設定されているときに、単色モードで選択されている色に対応させて印刷温度が設定温度として設定され、かつ、印刷温度に対応させて記録媒体Ｓの搬送速度が設定される。したがって、画像形成の速度を高くすることができ、画像形成のスループットを向上させることができる。
【０１９１】
次に、フローチャートについて説明する。
ステップＳ１９１  モータ駆動要求が通知されるのを待機し、通知された場合はステップＳ１９２に進む。
ステップＳ１９２  前回のモータ駆動要求の種別と同じであるかどうかを判断する。前回のモータ駆動要求の種別と同じである場合はステップＳ１９４に、前回のモータ駆動要求の種別と同じでない場合はステップＳ１９３に進む。
ステップＳ１９３  前の記録媒体Ｓが排出されるのを待機し、排出された場合はステップＳ１９４に進む。
ステップＳ１９４  単色モードが設定されているかどうかを判断する。単色モードが設定されている場合はステップＳ１９５に、設定されていない場合はステップＳ１９７に進む。
ステップＳ１９５  どの位置の画像形成部が有効になっているかを読み込む。
ステップＳ１９６  該当する単色モードの回転速度を設定する。
ステップＳ１９７  モノクロモードが設定されているかどうかを判断する。モノクロモードが設定されている場合はステップＳ１９８に、設定されていない場合は１９９に進む。
ステップＳ１９８  モノクロモードの回転速度を設定する。
ステップＳ１９９    カラーモードの回転速度を設定する。
ステップＳ２００  モータを駆動し、処理を終了する。
【０１９２】
次に、ラスタデータ送出部１１１の図示されないラスタデータ送出処理手段によるラスタデータ送出処理の動作について説明する。
【０１９３】
図２８は本発明の第４の実施の形態におけるラスタデータ送出処理の動作を示すフローチャートである。
【０１９４】
まず、ラスタデータ送出処理手段は、印刷制御起動部１１０（図２４）からＬＥＤ送信要求が通知されるのを待機し、ＬＥＤ送信要求が通知されると、単色モードが設定されているかどうかを判断し、単色モードが設定されている場合、どの位置の画像形成部が有効になっているかを読み込むとともに、有効になっている画像形成部の位置のＬＥＤヘッドに対して印刷データを送信する。そして、単色モードが設定されていない場合、ラスタデータ送出処理手段は、ラスタバッファ１０９に記録されているブラック、イエロー、マゼンタ及びシアンのラスタデータをそれぞれＬＥＤヘッド１３Ｂｋ、１３Ｙ、１３Ｍ、１３Ｃに送信する。
【０１９５】
次に、フローチャートについて説明する。
ステップＳ２０１  ＬＥＤ送信要求が通知されるのを待機し、通知された場合はステップＳ２０２に進む。
ステップＳ２０２  単色モードが設定されているかどうかを判断する。単色モードが設定されている場合はステップＳ２０３に、設定されていない場合はステップＳ２０５に進む。
ステップＳ２０３  どの位置の画像形成部が有効になっているかを読み込む。
ステップＳ２０４  有効になっている画像形成部の位置のＬＥＤヘッドに対して印刷データを送信し、処理を終了する。
ステップＳ２０５  ブラック、イエロー、マゼンタ及びシアンの印刷データをＬＥＤヘッド１３Ｂｋ、１３Ｙ、１３Ｍ、１３Ｃに送信し、処理を終了する。
【０１９６】
次に、画像形成部状態監視部１２３の図示されない画像形成部状態監視処理手段による画像形成部状態監視処理の動作について説明する。
【０１９７】
図２９は本発明の第４の実施の形態における画像形成部状態監視処理の動作を示すフローチャートである。
【０１９８】
まず、画像形成部状態監視処理手段は、画像形成部チェック要求が通知されたかどうかを判断し、画像形成部チェック要求が通知された場合、単色モードが設定されているかどうかを判断する。そして、単色モードが設定されている場合、画像形成部状態監視処理手段は、ブラック、イエロー、マゼンタ及びシアンの画像形成部Ｒ１（図１）〜Ｒ４が一つ以上セットされているかどうかを判断し、一つ以上されている場合、定着器６３から近い画像成形部から順に有効であるかどうかを検査する。続いて、画像形成部状態監視処理手段は、有効な画像形成部の位置情報を操作者に通知する。
【０１９９】
また、画像形成部Ｒ１〜Ｒ４が一つ以上セットされていない場合、画像形成部状態監視処理手段は、画像形成部が正常にセットされているかを確認するように操作者に通知する。
【０２００】
そして、単色モードが設定されていない場合、画像形成部状態監視処理手段は、すべての画像形成部Ｒ１〜Ｒ４がセットされているかどうかを判断し、すべての画像形成部Ｒ１〜Ｒ４がセットされている場合、すべての画像形成部Ｒ１〜Ｒ４が正常にセットされていることを状態管理部１１８に通知し、いずれかの画像形成部がセットされていない場合、画像形成部が正常にセットされているかを確認するように操作者に通知する。
【０２０１】
このように、本実施の形態においては、単色モードが設定されている場合、同じ色の画像形成部をセットすることができるので、所定の画像形成部が、トナーエンプティ等によって使用することができなくなると、自動的に他の画像形成部を使用して印刷を行うことができる。したがって、画像形成部を交換したり、トナーカートリッジ等を交換したりすることなく、連続して印刷を行うことができる。
【０２０２】
また、画像形成部がセットされている位置に応じて、単色モードの設定温度を高くし、モータの回転速度を高くすることができる。
【０２０３】
したがって、画像形成の速度を高くすることができ、画像形成のスループットを向上させることができる。
【０２０４】
次に、フローチャートについて説明する。
ステップＳ２１１  画像形成部チェック要求が通知されたかどうかを判断する。画像形成部チェック要求が通知された場合はステップＳ２１２に進み、通知されていない場合は処理を終了する。
ステップＳ２１２  単色モードが設定されているかどうかを判断する。単色モードが設定されている場合ステップＳ２１３に、設定されていない場合はステップＳ２１７に進む。
ステップＳ２１３  画像形成部が一つ以上セットされているかどうかを判断する。画像形成部が一つ以上セットされている場合はステップＳ２１４に、一つ以上セットされていない場合はステップＳ２１６に進む。
ステップＳ２１４  定着器６３から近い画像形成部から有効であるかどうかを検査する。
ステップＳ２１５  有効な画像形成部の位置情報を通知し、処理を終了する。
ステップＳ２１６  正常にセットされているかを確認するように通知し、処理を終了する。
ステップＳ２１７  すべての画像形成部Ｒ１〜Ｒ４がセットされているかどうかを判断する。すべての画像形成部Ｒ１〜Ｒ４がセットされている場合はステップＳ２１８に、セットされていない場合はステップＳ２１９に進む。
ステップＳ２１８  正常にセットされていることを通知し、処理を終了する。
ステップＳ２１９  正常にセットされているかを確認するように通知し、処理を終了する。
【０２０５】
前記各実施の形態においては、各感光体ドラム１６Ｂｋ、１６Ｙ、１６Ｍ、１６Ｃ上に形成されたトナー像が記録媒体Ｓに転写されるようになっているが、感光体ドラム１６Ｂｋ、１６Ｙ、１６Ｍ、１６Ｃに形成されたトナー像を中間転写媒体に転写し、転写されたトナー像を記録媒体Ｓに転写することもできる。
【０２０６】
なお、本発明は前記実施の形態に限定されるものではなく、本発明の趣旨に基づいて種々変形させることが可能であり、それらを本発明の範囲から排除するものではない。
【０２０７】
【発明の効果】
以上詳細に説明したように、本発明によれば、画像形成装置においては、像担持体上に顕像を形成するための複数の画像形成部と、前記各像担持体と対応させて配設され、顕像を記録媒体に転写する転写装置と、転写された顕像を記録媒体に定着させる定着装置と、前記各画像形成部がセットされているかどうかを判断し、判断結果に基づいて定着装置の設定温度を変更する温度制御処理手段とを有する。
【０２０８】
この場合、所定の画像形成部より定着装置に近い画像形成部がセットされていない場合に、定着装置の設定温度が高く設定されるので、待機状態において次の印刷要求がある場合に、ウォーミングアップ時間を短くすることができる。したがって、画像形成の速度を高くすることができ、画像形成のスループットを向上させることができる。
【図面の簡単な説明】
【図１】本発明の第１の実施の形態におけるプリンタの概念図である。
【図２】本発明の第１の実施の形態における画像形成プロセスの要部を示す図である。
【図３】本発明の第１の実施の形態における感光体ドラムの表面電位の変化を示す図である。
【図４】本発明の第１の実施の形態におけるトナーの電位を示す図である。
【図５】本発明の第１の実施の形態におけるＬＥＤヘッドの駆動回路を示すブロック図である。
【図６】本発明の第１の実施の形態におけるプリンタの制御装置を示すブロック図である。
【図７】本発明の第１の実施の形態におけるモノクロモードで印刷を行う場合のプリンタの概念図である。
【図８】本発明の第１の実施の形態におけるオペレータパネルを表す図である。
【図９】本発明の第１の実施の形態における印刷モード設定処理の動作を示すフローチャートである。
【図１０】本発明の第１の実施の形態における編集処理の動作を示すフローチャートである。
【図１１】本発明の第１の実施の形態における温度制御処理の動作を示すフローチャートである。
【図１２】本発明の第２の実施の形態におけるプリンタの制御装置を示すブロック図である。
【図１３】本発明の第２の実施の形態における印刷モード設定処理の動作を示すフローチャートである。
【図１４】本発明の第２の実施の形態における編集処理の動作を示すフローチャートである。
【図１５】本発明の第２の実施の形態における温度制御処理の動作を示すフローチャートである。
【図１６】本発明の第２の実施の形態におけるモータ制御処理の動作を示すフローチャートである。
【図１７】本発明の第３の実施の形態におけるプリンタの制御装置を示すブロック図である。
【図１８】本発明の第３の実施の形態における印刷モード設定処理の動作を示すフローチャートである。
【図１９】本発明の第３の実施の形態における編集処理の動作を示すフローチャートである。
【図２０】本発明の第３の実施の形態における温度制御処理の動作を示すフローチャートである。
【図２１】本発明の第３の実施の形態におけるモータ制御処理の動作を示すフローチャートである。
【図２２】本発明の第３の実施の形態におけるラスタデータ送出処理の動作を示すフローチャートである。
【図２３】本発明の第３の実施の形態における画像形成部状態監視処理の動作を示すフローチャートである。
【図２４】本発明の第４の実施の形態におけるプリンタの制御装置を示すブロック図である。
【図２５】本発明の第４の実施の形態における印刷モード設定処理の動作を示すフローチャートである。
【図２６】本発明の第４の実施の形態における温度制御処理の動作を示すフローチャートである。
【図２７】本発明の第４の実施の形態におけるモータ制御処理の動作を示すフローチャートである。
【図２８】本発明の第４の実施の形態におけるラスタデータ送出処理の動作を示すフローチャートである。
【図２９】本発明の第４の実施の形態における画像形成部状態監視処理の動作を示すフローチャートである。
【符号の説明】
１４Ｂｋ、１４Ｙ、１４Ｍ、１４Ｃ    転写ローラ
１６Ｂｋ、１６Ｙ、１６Ｍ、１６Ｃ    感光体ドラム
６３    定着器
１２２    定着器制御部
１２３    画像形成部状態監視部
Ｒ１〜Ｒ４    画像形成部
Ｓ    記録媒体
【図１】
2004354933.tif 000003
【図２】
2004354933.tif 000004
【図３】
2004354933.tif 000005
【図４】
2004354933.tif 000006
【図５】
2004354933.tif 000007
【図６】
2004354933.tif 000008
【図７】
2004354933.tif 000009
【図８】
2004354933.tif 000010
【図９】
2004354933.tif 000011
【図１０】
2004354933.tif 000012
【図１１】
2004354933.tif 000013
【図１２】
2004354933.tif 000014
【図１３】
2004354933.tif 000015
【図１４】
2004354933.tif 000016
【図１５】
2004354933.tif 000017
【図１６】
2004354933.tif 000018
【図１７】
2004354933.tif 000019
【図１８】
2004354933.tif 000020
【図１９】
2004354933.tif 000021
【図２０】
2004354933.tif 000022
【図２１】
2004354933.tif 000023
【図２２】
2004354933.tif 000024
【図２３】
2004354933.tif 000025
【図２４】
2004354933.tif 000026
【図２５】
2004354933.tif 000027
【図２６】
2004354933.tif 000028
【図２７】
2004354933.tif 000029
【図２８】
2004354933.tif 000030
【図２９】
2004354933.tif 000031
【手続補正書】
【提出日】平成15年6月5日(2003.6.5)
【手続補正１】
【補正対象書類名】図面
【補正対象項目名】図１
【補正方法】変更
【補正の内容】
【図１】
2004354933.tif 000032
【手続補正２】
【補正対象書類名】図面
【補正対象項目名】図７
【補正方法】変更
【補正の内容】
【図７】
2004354933.tif 000033